(57)【要約】【課題】  電気的エネルギーを増加させることなくスピーカーの音量の増強した電子メトロノームの提供。【解決手段】  本発明の電子メトロノームは、機器を構成する筐体の一部を可動、あるいは付け替えることにより、スピーカーへ入力する電気的エネルギーを増加させずに電子メトロノームの音量を増強することを可能にした。また、別体の共鳴構造を付加する必要がないため、電子メトロノームの大きさをほとんど変えることなく構成可能である。【選択図】  図４
2009063341.tif 000002
【特許請求の範囲】
【請求項１】
電子音を発音するスピーカーと、
前記スピーカーが固着された第一筐体と、
前記第一筺体と可動可能な構造で接続された第二筺体と
を有し、
前記第二筐体を可動することで、前記第一筐体および前記第二筐体から構成される空間容量を可変にできることを特徴とする電子メトロノーム。
【請求項２】
前記第二筐体は、前記第一筐体を構成する立体の一つの面であり、開閉可能な構造であることを特徴とする請求項１に記載の電子メトロノーム。
【請求項３】
前記第二筐体は、前記第一筺体とヒンジ構造により開閉できることを特徴とする請求項２に記載の電子メトロノーム。
【請求項４】
前記第二筐体は、前記第一筺体とスライド構造により開閉できることを特徴とする請求項２に記載の電子メトロノーム。
【請求項５】
前記第二筐体は、電池を収容する電池収容部を覆うための電池蓋であって、前記第一筺体に取り付ける方向を逆転させることで前記第一筺体と前記第二筺体の間に開口部を得られることを特徴とする請求項２から４のいずれかに記載の電子メトロノーム。
【発明の詳細な説明】
【技術分野】
【０００１】
本発明は、電子メトロノームの発音のための構造に関する。
【背景技術】
【０００２】
電子音を発する電子メトロノームは多くの場合、発音のためのスピーカーを備えていて、スピーカーは電子メトロノームの筐体に接着やねじ止めなどの手段により固着されている。電子メトロノームは機器の性格上、比較的広い空間において多くの使用者に報知音を聴衆聴取させる必要があるため、大きな音量が必要となる。
【０００３】
一般的な電子メトロノームは音量を増強する場合、電気的なエネルギーの増強（増幅）を行って必要な音量を確保する方法が一般的である。また、一部の機器ではスピーカーを固着する筐体の一部をたとえば筒状の形態を採り、共鳴空間を作ることで物理的な音量増幅を行い音量の増強を図ったものもある（例えば、特許文献１参照。）。
【特許文献１】特開平９−５４１５７
【発明の開示】
【発明が解決しようとする課題】
【０００４】
しかしながら、特許文献１に開示されるような共鳴構造は十分な共鳴効果による音量増強効果を得るためには共鳴部を除いた機器本体に対して比較的大きな別体の構造物を付加する必要があり、小型化が難しく、携帯性を著しく悪化させてしまう。
【０００５】
また、共鳴構造を持たない一般的な電子メトロノームにおいて音量を増強させる場合、一般的にはスピーカーに入力する電気的エネルギーを増やすことが考えられるが、電気的エネルギーを増やすことは同時に消費電力の増加と同義である。したがって、エネルギー源である電源の大型化が必要となる。携帯性を重視する電子メトロノームの主な電源装置が乾電池であることを考慮すると、音量の増強と電池寿命（＝使用可能時間）の延長は相反する要素であり、両者を同時に向上させることは困難である。
【０００６】
電源の補強要素として市販のＡＣアダプターを使用することも考えられるが、ＡＣアダプターそのものの重量が機器本体よりも重い場合や、かさばるなどの弊害があり、使用者からは敬遠される傾向にある。また、ＡＣアダプターを使用するにあたり必ずしもＡＣアダプターが接続可能な電源環境であるとも限らない。これらの状況を鑑みて近年の電子メトロノームではＡＣアダプターの使用しないことを前提とする機器が増加している。
【０００７】
本発明は上記事情に鑑みて成されたものであり、従来の大きさや携帯性を維持しながら、音量を増強した電子メトロノームを提供することを目的とする。
【課題を解決するための手段】
【０００８】
上記の課題を達成するために、本発明の電子メトロノームでは、電子音を発音するスピーカーと、前記スピーカーが固着された第一筐体と、前記第一筺体と可動可能な構造で接続された第二筺体とを有し、前記第二筐体を可動することで前記第一筐体および前記第二筐体から構成される空間容量を可変にできることを特徴とする。
【０００９】
また、前記第二筐体は、前記第一筐体を構成する立体の一つの面が開閉可能な構造であることを特徴とする。
【００１０】
さらに、前記第二筐体は、前記第一筺体とヒンジ構造により開閉できることを特徴とする。
【００１１】
また、前記第二筐体は、前記第一筺体とスライド構造により開閉できることを特徴とする。
【００１２】
また、前記第二筐体は、電池を収容する電池収容部を覆うための電池蓋であって、前記第一筺体に取り付ける方向を逆転させることで前記第一筺体と前記第二筺体の間に開口部を得られることを特徴とする。
【発明の効果】
【００１３】
以上に説明したように、本発明の電子メトロノームは、機器を構成する筐体の一部を可動あるいは、付け替えることにより電子メトロノームの音量を増強するために必要であったスピーカーへ入力する電気的エネルギーの増加や別体の共鳴構造を付加する必要がないので、電子メトロノームの大きさをほとんど変えることなく構成可能である。これにより、デザインの自由度高く、携帯性に優れた電子メトロノームを提供できる。
【発明を実施するための最良の形態】
【００１４】
以下、本発明の第一実施形態の電子メトロノームの発音構造について、図を参照しながら説明する。
【００１５】
図１は本実施形態の構造を備えた電子メトロノーム（以下、単に「電子メトロノーム」と称する）の筐体の正面の平面図である。電子メトロノーム１は第一筐体５にＬＥＤ２とテンポダイヤル３とスピーカー４と電池蓋６を備えている。ここで第二筐体とは電池蓋６である。
【００１６】
図２は電子メトロノームの筐体の側面の透視図である。第一筐体内部には基板８が設置され、基板８にはロータリースイッチ９、電線１１が実装され、電線１１は基板８とスピーカー４を電気的に接続している。また、電池蓋６には電池ボックス１２が設置され、電池ボックス１２の内部には乾電池１０が収納されている。
【００１７】
電池ボックス１２と電池蓋６はスライド構造により着脱可能に係止されている。第一筐体５と電池ボックス１２はヒンジ１３によって係止されており、ヒンジ１３の軸線を回動中心として回動可能に支持されている。ヒンジ１３は回動角度を一定の角度まで開閉可能に制限する構造を備えている。開閉角度はスタンド７によって自立させた時に電池ボックス１２と電池蓋６とが構成する面が水平になる角度とすると良い。
【００１８】
図３（ａ）および（ｂ）は第二筐体１４の構造を示した図で、電池ボックス１２に電池蓋６が係止されている様子を示した図である。ヒンジ１３は略円筒型をしており、電池ボックス１２の端部に分割して設けられている。そしてヒンジ１３は対向する端面に切り欠き１５を備えており、ヒンジ１３の回動角度を制限する位置に設置されている。この切り欠き１５は回動角度を段階的に制限可能な構造としても良い。回動角度を段階的に選択可能な構造とすることで電子メトロノームが発する音程に最適な開口面積を得られ良好な音響特性を得ることができる。側壁１６は電池ボックス１２の底面に対して略垂直に立てられた側壁である。
【００１９】
図３（ｃ）は第二筐体１４を構成する電池ボックス１２と電池蓋６を分離した様子を示したものである。電池ボックス１２から電池蓋６を分離すると図３（ｃ）のように電池１０が露出し、電池交換が可能となる。
【００２０】
図３（ｄ）は電池ボックス１２と電池蓋６とが分離した様子の側面図である。
【００２１】
図４は第一筐体５に対して第二筐体１４がヒンジ１３を軸に回動し開口部１７が現れた様子を示した図である。開口部１７を適切な開口率に設定することで本実施形態を持たない電子メトロノームと比較して増強された音量を得ることが可能となる。
【００２２】
次に、本発明の第二実施形態について説明する。
【００２３】
本実施形態と上述の第一実施形態の異なるところは、第二筐体の構造および構成である。なお、上述の第１実施形態と同様の構成要素については、同一の符号を付し、重複する説明を省略する。
【００２４】
図５は本実施形態を備えた電子メトロノームの正面の平面図である。本実施形態の電子メトロノームは第一実施形態の第二筐体１４に代えて第二筐体１８を備えている。
【００２５】
図６は電子メトロノームの側面の透視図である。第二筐体１８は電池ボックス１９と電池蓋２１により構成され、スライド構造により着脱可能に係止されている。電池ボックス１９の内部には乾電池２０が収納されている。第二筐体１８は第一筐体５の底部に設置され、使用者が必要に応じて引き出し可能な構造となっており、運搬時などの機器が動作していない時に第二筐体１８は第一筐体５の内部に収納することで携帯性が向上する。
【００２６】
図７は引き出し可能な構造を示した図である。電池ボックス１９の側面には連続的な凹凸部２３が備えられている。第一筐体５の内部に設置されたストッパー２４には連続的な凹凸部２３に対応した突起が設けられ、連続的な凹凸部２３の凹凸に嵌ることで第二筐体１８の脱落を防ぐと同時に任意の引き出し量で引き出すことが可能となる。ストッパー２４は第一筐体５の筐体を利用して設置するが、良好なクリック感を得るために弾力性の得られる構造としても良い。前記実施例では連続的な凹凸部２３の設置された範囲で任意に引き出し量を調整し、好みの音響特性を得ることが可能であるが、あらかじめ最適な音響特性が得られる引き出し量を設定しておき、その引き出し量だけ引き出して係止するといった可能な構造としても良い。
【００２７】
図８（ａ）および（ｂ）は第二筐体１８を構成する電池ボックス１９と電池蓋２１を分離した様子を示した図である。電池ボックス１９から電池蓋２１をスライドさせて分離すると電池２０が露出し、電池交換が可能になる。
【００２８】
図９（ａ）および（ｂ）は第二筐体を引き出したときの様子を示した側面図である。図９（ａ）は最大に引き出したときの様子であり、このように大きく引き出すことで第一筐体５と第二筐体１８によって作り出される筺体内の共鳴空間を拡大することができる。また、図９（ｂ）では引き出し量を小さくすることで共鳴空間の拡大量を小さくし、同時に開口部２２の開口量も小さくすることができる。つまり、引き出し量を使用者が適切な量に調整することで、電子メトロノームの音響特性を任意に設定可能となる。
【００２９】
次に、本発明の第三実施形態について説明する。
【００３０】
本実施形態と上述の第一実施形態の異なるところは、第二筐体の構造および構成である。なお、上述の第１実施形態と同様の構成要素については、同一の符号を付し、重複する説明を省略する。
【００３１】
図１０は本実施形態を備えた電子メトロノームの正面の平面図である。本実施形態の電子メトロノームは第一実施形態の第二筐体１４に代えて電池蓋２５を備えている。
【００３２】
図１１は本実施形態を備えた電子メトロノームの側面の透視図である。電池蓋２５はスライド構造により電子メトロノームの第一筺体５の底部に係止されている。電池ボックス２７の内部には電池２６が収納されている。電池蓋２５をスライドさせて第一筺体５から分離すると電池が露出し、電池交換が可能となる。
【００３３】
図１２は電池蓋２５をいったん第一筺体５から取り外し、天地を逆転させて再度第一筺体５へ取り付けた様子を示した図である。電池蓋２５の底面に略垂直に設置された壁は第一筺体５の正面底部付近の開口部２８を覆う構造になっているが、電池蓋２３の天地を逆転させて取り付けることで電池蓋２４がこの開口部２４を覆うことがないので第一筺体５の正面底部付近には開口部が出現する。これにより開口部が閉じている時に比べ、こもり音のないクリアな電子メトロノーム音を得ることができる。また、メトロノームを使用していないときは特に煩雑な操作や作業を必要とせずに元の形態に復元できることや、極めて簡単な構造であるので製造も容易であり、デザインの自由度を阻害しない。
【００３４】
上記実施形態において電池蓋２５の取り付け向きによって出現する開口部は製品正面底部付近としたが、たとえば背面に開口部が出現するような構造とすることも可能である。
【００３５】
以上、本発明の実施形態について説明したが、本発明の技術範囲は上記実施の形態に限定されるものではなく、本発明の趣旨を逸脱しない範囲において種々の変更を加えることが可能である。
【００３６】
また前記実施形態の例において、電池蓋や電池ボックスを兼用する第二筺体を開閉させることで開口部を得たが、これら以外の部位を開閉させるなどの操作で開口部を得るような構造であっても良い。
【図面の簡単な説明】
【００３７】
【図１】本発明の第１実施形態の第二筐体構造を備える電子メトロノームを示す正面図である。
【図２】図１の電子メトロノームの側面透視図である。
【図３】本発明の第１実施形態の第二筐体構造の詳細図である。
【図４】本発明の第１実施形態の使用時の様子である。
【図５】本発明の第２実施形態の第二筐体構造を備える電子メトロノームの正面図である。
【図６】図５の電子メトロノームの側面透視図である。
【図７】本発明の第２実施形態の第二筐体構造の引き出し構造の例を示した図である。
【図８】本発明の第２実施形態の第二筐体構造の詳細図である。
【図９】本発明の第２実施形態の使用時の様子である。
【図１０】本発明の第２実施形態の第二筐体構造を備える電子メトロノームの正面図である。
【図１１】図１０の電子メトロノームの側面透視図である。
【図１２】本発明の第３実施形態の使用時の様子である。
【符号の説明】
【００３８】
１  電子メトロノーム
２  ＬＥＤ
３  テンポダイヤル
４  スピーカー
５  第一筐体
６  電池蓋
７  スタンド
８  基板
９  ロータリースイッチ
１０  乾電池
１１  電線
１２  電池ボックス
１３  ヒンジ
１４  第二筐体
１５  切り欠き
１６  側壁
１７  開口部
１８  第二筐体
１９  電池ボックス
２０  電池
２１  電池蓋
２２  開口部
２３  連続的な凹凸部
２４  ストッパー
２５  電池蓋
２６  電池
２７  電池ボックス
２８  開口部
【図１】
2009063341.tif 000003
【図２】
2009063341.tif 000004
【図３】
2009063341.tif 000005
【図４】
2009063341.tif 000006
【図５】
2009063341.tif 000007
【図６】
2009063341.tif 000008
【図７】
2009063341.tif 000009
【図８】
2009063341.tif 000010
【図９】
2009063341.tif 000011
【図１０】
2009063341.tif 000012
【図１１】
2009063341.tif 000013
【図１２】
2009063341.tif 000014